(57)【要約】【課題】実装上の制約がなく、鍵（かぎ）の動きがスムーズで、構成が簡素で、部品点数が少なく、誤作動がなく、破壊された場合に確実に扉を施錠することができるようにする。【解決手段】扉をロックする閂（かんぬき）部材１１１、及び、該閂部材１１１を移動させる取っ手部材を備えるロック装置と、前記閂部材１１１と係合して施錠するスライド部材１４、及び、鍵を回すことによって前記スライド部材１４を移動させるキーシリンダ１２を備える施錠装置１０とを有し、前記鍵を回して開錠すると、前記閂部材１１１とスライド部材１４との係合が解除された状態を維持する。【選択図】図１
2005200890.tif 000002
【特許請求の範囲】
【請求項１】
（ａ）扉をロックする閂部材、及び、該閂部材を移動させる取っ手部材を備えるロック装置と、
（ｂ）前記閂部材と係合して施錠するスライド部材、及び、鍵を回すことによって前記スライド部材を移動させるキーシリンダを備える施錠装置とを有し、
（ｃ）前記鍵を回して開錠すると、前記閂部材とスライド部材との係合が解除された状態を維持することを特徴とする扉の施錠機構。
【請求項２】
（ａ）前記スライド部材は少なくとも一部分が磁性体から成り、前記施錠装置は前記スライド部材を吸着可能な磁石を備え、
（ｂ）前記鍵を回して開錠すると、前記磁石が前記スライド部材を吸着する請求項１に記載の扉の施錠機構。
【請求項３】
（ａ）前記スライド部材は係合部を備え、前記施錠装置は前記係合部と係合可能な板ばね部材を備え、
（ｂ）前記鍵を回して開錠すると、前記板ばね部材が前記係合部と係合する請求項１に記載の扉の施錠機構。
【請求項４】
（ａ）前記キーシリンダは前記スライド部材と接続されるリンク部材を備え、
（ｂ）前記キーシリンダが打ち抜かれる方向に変位すると、前記スライド部材は、前記リンク部材との接続が解除され、前記閂部材との係合を維持し、該閂部材が前記扉をロックする状態を維持する請求項１〜３のいずれか１項に記載の扉の施錠機構。
【発明の詳細な説明】
【技術分野】
【０００１】
本発明は、扉の施錠機構に関するものである。
【背景技術】
【０００２】
従来、自動販売機、金庫等のセキュリティを要求される装置の扉には、該扉を施錠するための施錠装置の他に、扉を開閉するための取っ手部材を操作することによって扉をロックしたりロックを解除したりするロック装置が取り付けられている（例えば、特許文献１又は２参照。）。そして、前記扉を開ける際には、オペレータは、鍵（かぎ）を使用して前記施錠装置を作動させて開錠し、取っ手部材を操作して扉のロックを解除するようになっている。
【０００３】
ところで、前記扉のロック装置においては、セキュリティを高めるために閂（かんぬき）部材等の構成部材が強固に作成されているので、各構成部材の重量が大きく、作動させるために大きな力が必要になっている。そのため、鍵を回したりすることによってロック装置を作動させることが困難であるために、鍵を使用して前記施錠装置を作動させて開錠し、大きな力を発生させることのできる取っ手部材を操作してロック装置を作動させて扉のロックを解除するようになっている。しかし、オペレータが片手だけを使用して扉を開ける場合、鍵を使用して開錠した後に、取っ手部材を操作して扉のロックを解除するようになる。したがって、前記施錠装置は、開錠した後に鍵から手を離しても鍵が元に戻ることがないような構成を有している。
【０００４】
図２は従来の施錠機構の構成を示す第１の図、図３は従来の施錠機構の構成を示す第２の図である。
【０００５】
図２において、１１５は自動販売機、金庫等のセキュリティを要求される装置の扉であり、図示されない筐（きょう）体の開口部に開閉可能に取り付けられている。なお、前記扉１１５は、一方の側端部が図示されないヒンジ部材等によって回動可能に前記筐体に取り付けられ、他方の側端部に、施錠機構を構成するロック装置１２０及び施錠装置１１０が取り付けられている。なお、図２は前記扉１１５の内側の面を見た図である。
【０００６】
ここで、前記ロック装置１２０は、回転可能に取り付けられた回転軸部材１１３を有する。該回転軸部材１１３における扉１１５の外側（図面における裏側）の端部には、図示されないハンドル等の取っ手部材が取り付けられ、オペレータが該取っ手部材を操作することによって、前記回転軸部材１１３が回転するようになっている。そして、該回転軸部材１１３には第１リンク部材１１２ａが取り付けられ、該第１リンク部材１１２ａの先端が第２リンク部材１１２ｂ及び第３リンク部材１１２ｃを介して閂部材１１１に接続されている。なお、前記第３リンク部材１１２ｃは、中央部において回転軸部１１２ｄを介して、扉１１５に回転可能に取り付けられている。そのため、オペレータが前記取っ手部材を操作して前記回転軸部材１１３を回転させると、前記閂部材１１１が矢印Ａで示される方向にスライドし、前記筐体の開口部の縁部に形成された図示されない掛合（けいごう）部と掛合して閂を掛けたり、前記掛合部との掛合を解除して閂を外したりするようになっている。すなわち、扉１１５をロックしたり、ロックを解除したりするようになっている。なお、前記閂部材１１１は、図において右方向に移動すると掛合部と掛合して扉１１５をロックし、図において左方向に移動すると掛合部との掛合を解除して扉１１５のロックを解除する。
【０００７】
また、前記施錠装置１１０は、図示されない鍵が扉１１５の外側から挿入されるキーシリンダ１０４を有する。また、該キーシリンダ１０４には、軸心を中心にして回転するリンク部材１０５が取り付けられ、オペレータが鍵を前記キーシリンダ１０４に挿入して回転させることによって、前記リンク部材１０５の先端が矢印Ｃで示されるような軌道に沿って移動するようになっている。そして、前記リンク部材１０５の先端には、連結部材１０６の上端が接続され、該連結部材１０６の下端は、スライド部材１０７の上端に接続されている。そのため、オペレータが鍵を前記キーシリンダ１０４に挿入して回転させると、前記スライド部材１０７が矢印Ｂで示される方向にスライドする。そして、前記スライド部材１０７は、図において下方向に移動すると、前記閂部材１１１の突起状の係合部１１１ａと干渉する位置になり、該係合部１１１ａと係合して閂部材１１１の左方向への移動を阻害する。すなわち、扉１１５がロックされた状態を維持して施錠する。また、前記スライド部材１０７は、図において上方向に移動して、図２に示されるような状態になると、前記閂部材１１１の係合部１１１ａとの係合が解除され、該係合部１１１ａと干渉しない位置になり、閂部材１１１の左方向への移動を阻害しない。すなわち、扉１１５のロックを解除し得る状態にして開錠する。
【０００８】
ところで、前記施錠装置１１０において、スライド部材１０７や閂部材１１１の重量が大きいと、オペレータが鍵を前記キーシリンダ１０４に挿入して回転させて開錠しても、鍵から手を離すと、スライド部材１０７や閂部材１１１が自重によって落下してしまい再び施錠してしまうことがある。そこで、前記施錠装置１１０においては、鍵を回し切った位置において、リンク部材１０５が上死点を超えたところに位置するようになっている。これにより、スライド部材１０７や閂部材１１１が自重によって落下することを防止することができる。
【０００９】
また、前記施錠装置１１０は、破壊された場合には施錠するようになっている。すなわち、キーシリンダ１０４がポンチ等によって打ち抜かれると、図３に示されるように、打ち抜かれる際の衝撃によって、連結部材１０６の下端がスライド部材１０７の上端から外れるようになっている。そのため、該スライド部材１０７は、自重によって落下し閂部材１１１の係合部１１１ａと係合して、扉１１５がロックされた状態を維持して施錠する。これにより、前記施錠装置１１０が破壊されても、扉１１５のロックが解除されることを防止することができる。
【特許文献１】特開２００３−７４２４０号公報
【特許文献２】特開平９−２３５９２３号公報
【発明の開示】
【発明が解決しようとする課題】
【００１０】
しかしながら、前記従来の扉の施錠機構においては、以下の（ア）〜（オ）のような問題点があった。
（ア）スライド部材１０７のストローク、すなわち、上下方向の移動距離が短いので、施錠装置１１０を配設する場所が限られてしまい、実装上の制約があった。
（イ）連結部材１０６は、上下方向に移動するとともに、上端が矢印Ｃで示されるような軌道に沿って移動するという複雑な動作を行うようになっている。そのため、前記連結部材１０６を移動させるためには大きな力が必要となり、オペレータが鍵をキーシリンダ１０４に挿入して回転させる場合の抵抗が大きく、鍵の動きが渋くなってしまう。
（ウ）連結部材１０６が前記（イ）において説明したような複雑な動作を行うので、施錠装置１１０の構造が複雑になり、部品点数が多くなってしまう。
（エ）大きな振動や衝撃を受けた場合に連結部材１０６の下端がスライド部材１０７の上端から外れる可能性があるので、施錠装置１１０が破壊されなくても、スライド部材１０７が自重により落下して施錠し、扉１１５のロックが解除されなくなることがある。
（オ）前記（エ）のような問題を起こさないように、連結部材１０６とスライド部材１０７とが接続される部分の耐振動性を高めると、施錠装置１１０が破壊された場合であっても、連結部材１０６とスライド部材１０７との接続が維持され、該スライド部材１０７が落下せず、施錠することができなくなってしまう。
【００１１】
本発明は、前記従来の扉の施錠機構の問題点を解決して、実装上の制約がなく、鍵の動きがスムーズで、構成が簡素で、部品点数が少なく、誤作動がなく、破壊された場合に確実に扉を施錠することができる扉の施錠機構を提供することを目的とする。
【課題を解決するための手段】
【００１２】
そのために、本発明の扉の施錠機構においては、扉をロックする閂部材、及び、該閂部材を移動させる取っ手部材を備えるロック装置と、前記閂部材と係合して施錠するスライド部材、及び、鍵を回すことによって前記スライド部材を移動させるキーシリンダを備える施錠装置とを有し、前記鍵を回して開錠すると、前記閂部材とスライド部材との係合が解除された状態を維持する。
【００１３】
本発明の他の扉の施錠機構においては、さらに、前記スライド部材は少なくとも一部分が磁性体から成り、前記施錠装置は前記スライド部材を吸着可能な磁石を備え、前記鍵を回して開錠すると、前記磁石が前記スライド部材を吸着する。
【００１４】
本発明の更に他の扉の施錠機構においては、さらに、前記スライド部材は係合部を備え、前記施錠装置は前記係合部と係合可能な板ばね部材を備え、前記鍵を回して開錠すると、前記板ばね部材が前記係合部と係合する。
【００１５】
本発明の更に他の扉の施錠機構においては、さらに、前記キーシリンダは前記スライド部材と接続されるリンク部材を備え、前記キーシリンダが打ち抜かれる方向に変位すると、前記スライド部材は、前記リンク部材との接続が解除され、前記閂部材との係合を維持し、該閂部材が前記扉をロックする状態を維持する。
【発明の効果】
【００１６】
本発明によれば、扉の施錠機構は、実装上の制約がなく、鍵の動きがスムーズで、構成が簡素で、部品点数が少なく、誤作動がなく、破壊された場合に確実に扉を施錠することができる。
【発明を実施するための最良の形態】
【００１７】
以下、本発明の実施の形態について図面を参照しながら詳細に説明する。
【００１８】
図１は本発明の第１の実施の形態における扉の施錠機構の構成を示す図である。
【００１９】
図１において、１０は施錠装置であり、セキュリティを要求される装置の扉を施錠するためのものである。ここで、セキュリティを要求される装置とは、例えば、銀行、信用金庫、郵便局、消費者金融会社等の金融機関の支店等の営業店や、コンビニエンスストア、スーパーマーケット等の商店の店舗に配設されているＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置、鉄道、バス等の交通機関の券売機、飲料、タバコ等の自動販売機、両替機、ゲーム機等のように現金を取り扱う装置、コインロッカー、預かりボックス、金庫等のように現金、貴重品等を保管する装置等であるが、いかなる装置であってもよい。
【００２０】
また、前記扉には、前記施錠装置１０の他に、扉を開閉するための取っ手部材を操作することによって扉をロックしたりロックを解除したりするロック装置が取り付けられている。該ロック装置は移動可能な閂部材を有し、オペレータが前記取っ手部材を操作すると前記閂部材が移動して扉の掛合部と掛合し、扉をロックする。また、オペレータが前記取っ手部材を反対に操作すると、前記閂部材が反対方向に移動して前記掛合部との掛合を解除し、扉のロックを解除する。そして、前記施錠装置１０は、ロック装置の閂部材の移動を阻害し、該閂部材が前記掛合部と掛合して扉がロックされた状態を維持するようにして、扉を施錠する。すなわち、本実施の形態における扉の施錠機構は、前記ロック装置及び施錠装置１０を有するものである。
【００２１】
なお、本実施の形態において、筐体、扉及び閂部材を含むロック装置の構成は、前記「背景技術」において説明したものと同様であるので、前記「背景技術」における筐体、扉１１５、閂部材１１１及びロック装置１２０の構成に関する記載、並びに、図２及び３の記載を援用する。
【００２２】
そして、前記施錠装置１０は、図示されない鍵が扉１１５の外側（図面における裏側）から挿入されるシリンダ錠のキーシリンダ１２を有する。また、該キーシリンダ１２には、軸心を中心にして回転するリンク部材１３が取り付けられ、オペレータが鍵を前記キーシリンダ１２に挿入して回転させることによって、前記リンク部材１３が回転するようになっている。さらに、前記施錠装置１０は、図１において上下方向にスライドするスライド部材１４を有する。該スライド部材１４は、前記扉１１５に取り付けられた第１のガイド部材１５ａ、第２のガイド部材１５ｂ及び第３のガイド部材１５ｃにそれぞれ形成されたガイド孔（こう）に挿入され、該ガイド孔に沿って上下方向にスライドする。そのため、横方向の位置が第１のガイド部材１５ａ、第２のガイド部材１５ｂ及び第３のガイド部材１５ｃによって規制されているので、前記スライド部材１４は横方向に移動することがない。なお、前記第１のガイド部材１５ａ、第２のガイド部材１５ｂ及び第３のガイド部材１５ｃを統合的に説明する場合には、ガイド部材１５として説明する。
【００２３】
ここで、前記スライド部材１４には横長の接続ピン挿入孔１４ａが形成され、該接続ピン挿入孔１４ａに前記リンク部材１３の先端に取り付けられた接続ピン１３ａが挿入されている。これにより、前記リンク部材１３が回転するとスライド部材１４が上下方向にスライドする。なお、前記接続ピン１３ａは、リンク部材１３におけるスライド部材１４に対向する面に、該スライド部材１４に向けて突出するように形成され、先端が扉１１５に向く方向（図面における裏側を向く方向）で接続ピン挿入孔１４ａに挿入されている。そして、抜け止め部材が取り付けられていないので、リンク部材１３をスライド部材１４から引き離す方向、すなわち、扉１１５と反対の方向（図面における手前側を向く方向）に移動させることによって、接続ピン１３ａを接続ピン挿入孔１４ａから抜き出して、リンク部材１３とスライド部材１４との接続を解除することができる。
【００２４】
また、前記第１のガイド部材１５ａの上方には、スライド部材１４を吸着可能な磁石としてのマグネット部材１６が配設されている。該マグネット部材１６は、前記扉１１５に取り付けられたマグネット支持部材１６ａにボルト等から成る固定部材１６ｂによって固定されている。なお、前記スライド部材１４は、少なくとも一部分、すなわち、上端近傍部分は、磁性体から成る材料によって構成されている。そして、前記マグネット部材１６は、前記スライド部材１４が上方に移動させられて上死点に近付いた状態となったときの前記スライド部材１４の上端近傍部分に対応する位置に配設されている。これにより、前記スライド部材１４は、上方に移動させられて上死点に近付くと、その上端近傍部分が前記マグネット部材１６に吸着される。
【００２５】
次に、前記構成の施錠機構の動作について説明する。
【００２６】
まず、前記扉１１５が閉じている状態において、ロック装置１２０の閂部材１１１は、図１〜３において右方向に移動しており、前記セキュリティを要求される装置の筐体の開口部の縁部に形成された掛合部と掛合して閂を掛けた状態となって、扉１１５をロックしている。この場合、施錠装置１０のスライド部材１４は、図１に示される位置よりも下方に移動しており、その下端部が第３のガイド部材１５ｃの下方に十分に長く突出している。そのため、前記スライド部材１４の下端部は、前記閂部材１１１の係合部１１１ａと干渉する位置にあり、該係合部１１１ａと係合して閂部材１１１の左方向への移動を阻害している。すなわち、施錠装置１０は、スライド部材１４が閂部材１１１と係合して、扉１１５がロック装置１２０によってロックされた状態を維持し、施錠している。
【００２７】
そして、前記扉１１５を開ける場合、オペレータは、まず、扉１１５の外側から鍵をキーシリンダ１２に挿入して回転させる。これにより、リンク部材１３が図１において反時計回り方向に回転するので、前記リンク部材１３の先端に取り付けられ、接続ピン挿入孔１４ａに挿入された接続ピン１３ａが上方に移動する。そのため、スライド部材１４は、上方に移動させられる。そして、前記スライド部材１４が上死点に近付くと、その下端部が前記閂部材１１１の係合部１１１ａと干渉する位置よりも上方に移動するので、前記スライド部材１４と係合部１１１ａとの係合が解除される。これにより、閂部材１１１の左方向への移動が阻害されなくなる。すなわち、施錠装置１０は、扉１１５のロックを解除し得る状態にして開錠する。
【００２８】
一方、前記スライド部材１４が上死点に近付くと、その上端近傍部分はマグネット部材１６に吸着される。そのため、前記スライド部材１４は、図１に示されるような上死点近傍の位置において固定され、上下方向に移動不能となる。これにより、オペレータが鍵から手を離しても、前記スライド部材１４と係合部１１１ａとの係合が解除された状態が維持されるので、閂部材１１１の左方向への移動が阻害されず、扉１１５のロックを解除し得る状態が維持される。
【００２９】
続いて、オペレータは、ロック装置１２０の取っ手部材を操作して、回転軸部材１１３を図２において反時計回り方向に回転させる。これにより、前記閂部材１１１が左方向へ移動し、前記掛合部との掛合を解除して閂を外した状態となる。すなわち、ロック装置１２０は扉１１５のロックを解除する。これにより、オペレータは、前記扉１１５を開けることができる。
【００３０】
次に、前記扉１１５を閉じて施錠する場合、オペレータは、扉１１５を閉じた後に、ロック装置１２０の取っ手部材を操作して、回転軸部材１１３を図２において時計回り方向に回転させる。これにより、前記閂部材１１１が右方向へ移動し、前記掛合部と掛合して閂を掛けた状態となる。すなわち、ロック装置１２０は扉１１５をロックする。
【００３１】
続いて、オペレータは、鍵をキーシリンダ１２に挿入して回転させ、リンク部材１３を図１において時計回り方向に回転させる。これにより、前記スライド部材１４は下方に移動させられる。ここで、前記マグネット部材１６の吸着力は、適度に調整されており、オペレータが手で鍵を回したことによって発生した前記スライド部材１４を下方に移動させる力よりは、十分に弱い力となっている。そのため、オペレータは、手に格別の力を込めることなく鍵を回すだけで、前記スライド部材１４の上端近傍部分がマグネット部材１６に吸着された状態を解除して、前記スライド部材１４を下方に移動させることができる。
【００３２】
そして、前記スライド部材１４は、図１に示される位置よりも下方に移動し、その下端部が第３のガイド部材１５ｃの下方に十分に長く突出して、下死点に到達する。これにより、前記スライド部材１４の下端部が、前記閂部材１１１の係合部１１１ａと干渉する位置になり、該係合部１１１ａと係合して閂部材１１１の左方向への移動を阻害する。すなわち、施錠装置１０は、扉１１５がロック装置１２０によってロックされた状態を維持するようにして施錠する。
【００３３】
このように、本実施の形態においては、スライド部材１４が上方向に移動させられて上死点に近付くと、その上端近傍部分はマグネット部材１６に吸着されるようになっている。そのため、前記スライド部材１４は、上死点近傍の位置において固定され、上下方向に移動不能となる。これにより、オペレータが鍵から手を離しても、前記スライド部材１４と係合部１１１ａとの係合が解除された状態が維持されるので、閂部材１１１の左方向への移動が阻害されず、扉１１５のロックを解除し得る状態が維持される。したがって、オペレータは、片手だけを使用して、施錠装置１０を開錠し、ロック装置１２０のロックを解除することができる。なお、前記マグネット部材１６の吸着力を適度に調整することによって、手に格別の力を込めることなく鍵を回すだけで、前記スライド部材１４を下方に移動させることができる。
【００３４】
また、前記スライド部材１４は、横方向に移動することなく、上下方向に移動するという単純な動作を行うようになっているので、移動させるために大きな力を必要とせず、鍵の動きが渋くなってしまうことがない。また、施錠装置１０の構造が簡素であり、部品点数を少なくすることができる。
【００３５】
さらに、前記スライド部材１４のストロークが長いので、施錠装置１０を配設する場所が限定されず、実装上の制約がない。
【００３６】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００３７】
図４は本発明の第２の実施の形態における扉の施錠機構の構成を示す図である。
【００３８】
本実施の形態において、施錠装置１０は、マグネット部材１６、マグネット支持部材１６ａ及び固定部材１６ｂを有していない。そして、スライド部材１４には、扉１１５の方向（図面における裏側の方向）に突出する突起状の係合部１４ｂが形成されている。また、前記扉１１５には、前記係合部１４ｂと係合可能な板ばね部材１７が取り付けられている。ここで、該板ばね部材１７は、略山の字状に折り曲げられ、山の峰がスライド部材１４に向かって突出するような形状を有している。なお、前記山の峰は水平方向に延在する。そして、前記板ばね部材１７は、前記スライド部材１４が上方に移動させられて上死点に近付いた状態となったときの係合部１４ｂに対応する位置に配設されている。ここで、前記板ばね部材１７の山の峰は、前記係合部１４ｂが係合する程度に板ばね部材１７に近接しているが、板ばね部材１７の係合部１４ｂ以外の部分には接触しないようになっている。
【００３９】
次に、本実施の形態における施錠機構の動作について説明する。
【００４０】
まず、扉１１５を開ける場合、オペレータは、扉１１５の外側から鍵をキーシリンダ１２に挿入して回転させ、リンク部材１３を図４において反時計回り方向に回転させる。これにより、スライド部材１４は上方に移動させられる。そして、該スライド部材１４が上死点に近付くと、その下端部が閂部材１１１の係合部１１１ａと干渉する位置よりも上方に移動するので、前記スライド部材１４と係合部１１１ａとの係合が解除される。
【００４１】
一方、前記スライド部材１４が上死点に近付くと、前記係合部１４ｂが板ばね部材１７の山の峰に下方から当接する。そして、前記スライド部材１４が更に上方に移動すると、前記山の峰が前記係合部１４ｂによって押圧されるので、板ばね部材１７が弾性変形して前記山の峰がスライド部材１４と反対の向きに移動する。これにより、前記係合部１４ｂは、前記山の峰を乗り越えて、該山の峰の上方に到達する。すると、板ばね部材１７が弾性によって復元し、前記山の峰が元の位置に復帰する。そのため、オペレータが鍵から手を離しても、前記係合部１４ｂが板ばね部材１７の山の峰に上方から当接して係合するので、前記スライド部材１４は下方に移動することがない。したがって、前記スライド部材１４と係合部１１１ａとの係合が解除された状態が維持されるので、閂部材１１１の左方向への移動が阻害されず、扉１１５のロックを解除し得る状態が維持される。
【００４２】
続いて、オペレータは、ロック装置１２０の取っ手部材を操作して、回転軸部材１１３を図２において反時計回り方向に回転させる。これにより、前記閂部材１１１が左方向へ移動し、前記掛合部との掛合を解除して閂を外した状態となるので、オペレータは、前記扉１１５を開けることができる。
【００４３】
次に、前記扉１１５を閉じて施錠する場合、オペレータは、扉１１５を閉じた後に、ロック装置１２０の取っ手部材を操作して、回転軸部材１１３を図２において時計回り方向に回転させる。これにより、前記閂部材１１１が右方向へ移動し、前記掛合部と掛合して閂を掛けた状態となる。
【００４４】
続いて、オペレータは、鍵をキーシリンダ１２に挿入して回転させ、リンク部材１３を図４において時計回り方向に回転させる。これにより、前記スライド部材１４は下方に移動させられる。ここで、前記板ばね部材１７の弾性力は、適度に調整されており、オペレータが手で鍵を回したことによって発生した前記スライド部材１４を下方に移動させる力よりは、十分に弱い力で弾性変形するようになっている。そのため、オペレータは、手に格別の力を込めることなく鍵を回すだけで、前記スライド部材１４の係合部１４ｂが板ばね部材１７の山の峰を乗り越えて該山の峰の下方に到達するので、前記スライド部材１４を下方に移動させることができる。
【００４５】
そして、該スライド部材１４は、図４に示される位置よりも下方に移動し、その下端部が第３のガイド部材１５ｃの下方に十分に長く突出して、下死点に到達する。これにより、前記スライド部材１４の下端部が、前記閂部材１１１の係合部１１１ａと干渉する位置になり、該係合部１１１ａと係合して閂部材１１１の左方向への移動を阻害する。すなわち、施錠装置１０は、扉１１５がロック装置１２０によってロックされた状態を維持するようにして施錠する。なお、その他の動作は、前記第１の実施の形態と同様であるのでその説明を省略する。
【００４６】
このように、本実施の形態においては、スライド部材１４が上方向に移動させられて上死点に近付くと、その係合部１４ｂは板ばね部材１７と係合するようになっている。そのため、前記スライド部材１４は、上死点近傍の位置において固定され、下方向に移動不能となる。これにより、オペレータが鍵から手を離しても、前記スライド部材１４と係合部１１１ａとの係合が解除された状態が維持されるので、閂部材１１１の左方向への移動が阻害されず、扉１１５のロックを解除し得る状態が維持される。したがって、オペレータは、片手だけを使用して、施錠装置１０を開錠し、ロック装置１２０のロックを解除することができる。なお、前記板ばね部材１７の弾性力を適度に調整することによって、手に格別の力を込めることなく鍵を回すだけで、前記スライド部材１４を上方及び下方に移動させることができる。
【００４７】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００４８】
図５は本発明の第３の実施の形態における扉の施錠機構の状態を示す第１の図、図６は本発明の第３の実施の形態における扉の施錠機構の状態を示す第２の図である。
【００４９】
本実施の形態において、１８はスライド部材１４の下方の位置において扉１１５に取り付けられた停止部材である。そして、該停止部材１８は、第２のガイド部材１５ｂとの間の距離がスライド部材１４の上下方向の長さより短くなる位置に取り付けられる。また、図６における１２ａは、キーシリンダ１２を除去したときに扉１１５に生じる開口である。その他の点の構成については、前記第１及び第２の実施の形態と同様であるので、その説明を省略する。なお、図５及び６においては、説明の都合上、マグネット部材１６、マグネット支持部材１６ａ及び固定部材１６ｂ、並びに、係合部１４ｂ及び板ばね部材１７の記載が省略されている。
【００５０】
次に、本実施の形態における施錠機構の動作について説明する。
【００５１】
本実施の形態においては、施錠装置１０は、図５に示されるように、扉１１５がロック装置１２０によってロックされた状態を維持し、施錠している。すなわち、前記扉１１５が閉じている状態において、ロック装置１２０の閂部材１１１は、右方向に移動しており、前記セキュリティを要求される装置の筐体の開口部の縁部に形成された掛合部と掛合して閂を掛けた状態となって、扉１１５をロックしている。そして、スライド部材１４は、図５に示されるように下方に移動しており、その下端部が第３のガイド部材１５ｃの下方に十分に長く突出している。そのため、前記スライド部材１４の下端部は、前記閂部材１１１の係合部１１１ａと干渉する位置にあり、該係合部１１１ａと係合して閂部材１１１の左方向への移動を阻害している。
【００５２】
ここで、例えば、ポンチ、バール、ハンマー等の工具を使用した破壊工作によって、キーシリンダ１２が扉１１５の外側から矢印Ｄで示される方向の力が加えられて打ち抜かれると、扉１１５の内側に脱落する。この場合、前記第１の実施の形態において説明したように、リンク部材１３をスライド部材１４から引き離す方向、すなわち、図５における矢印Ｄで示される方向に移動させることによって、接続ピン１３ａを接続ピン挿入孔１４ａから抜き出して、リンク部材１３とスライド部材１４との接続を解除することができるようになっている。そのため、キーシリンダ１２が打ち抜かれる方向に変位すると、リンク部材１３との接続が解除されるので、前記スライド部材１４は自重によって落下する。
【００５３】
そして、図６に示されるように、前記スライド部材１４は、下端が停止部材１８の上面に当接して停止する。この場合、閂部材１１１の係合部１１１ａは、スライド部材１４の側縁と係合している。また、前記停止部材１８が、第２のガイド部材１５ｂとの間の距離がスライド部材１４の上下方向の長さより短くなる位置に取り付けられているので、前記スライド部材１４は、横方向の位置が第２のガイド部材１５ｂ及び第３のガイド部材１５ｃによって規制されている。そのため、前記スライド部材１４は横方向に移動することがない。したがって、前記スライド部材１４は、閂部材１１１の左方向への移動を阻害している状態を維持している。すなわち、施錠装置１０は、破壊工作を受けても、扉１１５がロック装置１２０によってロックされた状態を維持することができる。
【００５４】
なお、前記施錠装置１０においては、キーシリンダ１２が扉１１５から脱落しなくても、リンク部材１３をスライド部材１４から引き離す方向にある程度変位すれば、接続ピン１３ａが接続ピン挿入孔１４ａから抜き出て、リンク部材１３とスライド部材１４との接続が解除されるので、スライド部材１４が落下し、扉１１５がロック装置１２０によってロックされた状態を維持することができる。
【００５５】
このように、本実施の形態においては、キーシリンダ１２が打ち抜かれる方向に変位すると、リンク部材１３とスライド部材１４との接続が解除されてスライド部材１４が落下し、扉１１５がロック装置１２０によってロックされた状態を維持することができるようになっている。そのため、簡単な構成でありながら、施錠装置１０が破壊工作を受けても、扉１１５のロックが解除されることを確実に防止することができる。
【００５６】
また、振動や衝撃による誤作動がなく、キーシリンダ１２の矢印Ｄで示される方向への変位に連動して、扉１１５がロックされた状態を確実に維持することができる。
【００５７】
なお、前記第１〜第３の実施の形態においては、扉の施錠機構をセキュリティが要求される装置の扉を施錠するために適用した場合について説明したが、本発明の扉の施錠機構は、玄関の扉のように、重量があり、施錠装置とロック装置とを有する扉であればいかなる種類の扉にも適用することができる。
【００５８】
また、本発明は前記実施の形態に限定されるものではなく、本発明の趣旨に基づいて種々変形させることが可能であり、それらを本発明の範囲から排除するものではない。
【図面の簡単な説明】
【００５９】
【図１】本発明の第１の実施の形態における扉の施錠機構の構成を示す図である。
【図２】従来の施錠機構の構成を示す第１の図である。
【図３】従来の施錠機構の構成を示す第２の図である。
【図４】本発明の第２の実施の形態における扉の施錠機構の構成を示す図である。
【図５】本発明の第３の実施の形態における扉の施錠機構の状態を示す第１の図である。
【図６】本発明の第３の実施の形態における扉の施錠機構の状態を示す第２の図である。
【符号の説明】
【００６０】
１０    施錠装置
１２    キーシリンダ
１３    リンク部材
１４    スライド部材
１４ｂ    係合部
１６    マグネット部材
１７    板ばね部材
１１１    閂部材
１２０    ロック装置
【図１】
2005200890.tif 000003
【図２】
2005200890.tif 000004
【図３】
2005200890.tif 000005
【図４】
2005200890.tif 000006
【図５】
2005200890.tif 000007
【図６】
2005200890.tif 000008